(57)【要約】【課題】撮影の体験のみしかできず、商品の特長をユーザーにアピールするのに、十分な効果があるとはいえなかった。【解決手段】撮像装置は、複数の機能を有する撮像装置であって、前記複数の機能のうちいずれかの機能に関する情報を表示する表示手段と、前記表示手段で表示される情報を、前記複数の機能のうちの他の機能に関する情報に、所定時間ごとに順次切り換えるよう制御するデモンストレーションモードを有する制御手段と、を備える。【選択図】図１
2006173996.tif 000002
【特許請求の範囲】
【請求項１】
複数の機能を有する撮像装置であって、
前記複数の機能のうちいずれかの機能に関する情報を表示する表示手段と、
前記表示手段で表示される情報を、前記複数の機能のうちの他の機能に関する情報に、所定時間ごとに順次切り換えるよう制御するデモンストレーションモードを有する制御手段と、
を備える撮像装置。
【請求項２】
前記撮像装置は、記録媒体を挿抜可能であり、前記記録媒体の挿抜状態を検出する検出手段を備え、
前記制御手段は、前記検出手段が前記記録媒体が抜かれていると検出したとき、前記デモンストレーションモードに移行可能な状態になる、
請求項１に記載の撮像装置。
【請求項３】
被写体を撮像して画像データを生成する撮像手段と、ユーザーによる撮像開始指示を受け付ける撮像開始指示手段と、ユーザーによる他のいずれかの指示を受け付ける操作手段とを備え、
前記制御手段は、撮像開始指示手段がユーザーによる撮像開始指示を受け付けると、撮像手段で画像データを生成し、前記生成された画像データを前記表示手段に表示する一方、前記記録媒体には前記生成された画像データを記録しないよう制御する擬似撮像モードを有し、
前記制御手段は、前記記録媒体が抜かれ前記デモンストレーションモードに設定されている場合において、前記撮像開始指示手段または前記操作手段がユーザーによる指示を受け付けると、前記擬似撮像モードに移行する、
請求項２に記載の撮像装置。
【発明の詳細な説明】
【技術分野】
【０００１】
本発明は、デジタルカメラやデジタルビデオカメラなどの撮像装置に関するものである。
【背景技術】
【０００２】
デジタルカメラやデジタルビデオカメラのような撮像装置は、撮影された被写体の画像データを、ＳＤカードのような外部記録媒体に記録するのが一般的である。しかし、このような撮像装置において、店頭で外部記録媒体を挿入した状態で展示すると、記録媒体の盗難を防ぐことが困難などの理由から、記録媒体が未挿入の状態で展示されることが多い。
【０００３】
そこで近年では、外部記録媒体がなくても、店頭での撮影体験を可能にする方法が提案されている。例えば、内部の一時記憶部を利用して、撮影操作を行う方法が提案されている（特許文献１および２参照）。
【特許文献１】特開平１１−１４６３１４号公報
【特許文献２】特開２００１−３５２４７８号公報
【発明の開示】
【発明が解決しようとする課題】
【０００４】
しかしながら上記従来の技術では、撮影の体験のみしかできず、商品の特長をユーザーにアピールするのに、十分な効果があるとはいえない。
【０００５】
そこで本発明は上記課題を解決するためになされ、その目的とするところは、店頭において商品の特長を効果的にユーザーに訴求し、記録媒体が挿入されていない状態でもユーザーが簡単に操作を体験できる撮像装置を提供することにある。
【課題を解決するための手段】
【０００６】
上記課題を解決する本発明に係る撮像装置は、複数の機能を有する撮像装置であって、前記複数の機能のうちいずれかの機能に関する情報を表示する表示手段と、前記表示手段で表示される情報を、前記複数の機能のうちの他の機能に関する情報に、所定時間ごとに順次切り換えるよう制御するデモンストレーションモードを有する制御手段と、を備える。
【０００７】
また、前記撮像装置は、記録媒体を挿抜可能であり、前記記録媒体の挿抜状態を検出する検出手段を備え、前記制御手段は、前記検出手段が前記記録媒体が抜かれていると検出したとき、前記デモンストレーションモードに移行可能な状態になるものであってもよい。
【０００８】
さらに、被写体を撮像して画像データを生成する撮像手段と、ユーザーによる撮像開始指示を受け付ける撮像開始指示手段と、ユーザーによる他のいずれかの指示を受け付ける操作手段とを備え、前記制御手段は、撮像開始指示手段がユーザーによる撮像開始指示を受け付けると、撮像手段で画像データを生成し、前記生成された画像データを前記表示手段に表示する一方、前記記録媒体には前記生成された画像データを記録しないよう制御する擬似撮像モードを有し、前記制御手段は、前記記録媒体が抜かれ前記デモンストレーションモードに設定されている場合において、前記撮像開始指示手段または前記操作手段がユーザーによる指示を受け付けると、前記擬似撮像モードに移行するようにしてもよい。
【発明の効果】
【０００９】
本発明の撮像装置によれば、店頭において商品の特長を効果的にユーザーに訴求し、記録媒体が挿入されていない状態でもユーザーが簡単に操作を体験できる撮像装置を提供できる。
【発明を実施するための最良の形態】
【００１０】
以下、添付図面に示す実施の形態に基づいて本発明について詳細に説明する。まず、構成について説明する。図１は、本実施の形態におけるデジタルカメラシステムの構成を示している。この図１に示しているように、データなどを一時的に保存しておく一時記憶部１０、ユーザー操作を行う操作部１１、カメラなど映像信号を取り込む撮像部１２、全体の制御を行う制御部１３、画像データに対して加工や編集処理を行う加工／編集部１４、画像データの圧縮や伸張処理を行う圧縮／伸張部１５、外部記録媒体の有無を検出する記録媒体検出部１６、外部記録媒体に対して読み込みや書き込みを行う記録媒体アクセス部１７、画像データなどを表示する表示部１８を備えて構成されている。
【００１１】
図２は本実施の形態におけるデジタルカメラシステムの外観図である。図１の操作部１１は図２の１１−１から１１−４で構成されている。それぞれ電源ＯＮ／ＯＦＦを行う電源キー１１−１、画像を取り込むためのシャッターキー１１−２、再生や記録など各種機能を選択するためのＭＯＤＥキー１１−３、アイコンを移動させたり選択の決定を行うジョグボール１１−４を示す。
【００１２】
次に図３を用いて動作について説明する。
本発明における撮像装置が電源キー１１−１を押下されることで電源ＯＮする（Ｓ１０１）。
電源ＯＮ後、制御部１３は記録媒体検出部１６を通して外部記録媒体１９の有無を確認する（Ｓ１０２）。外部記録媒体１９が存在した場合は通常動作状態（Ｓ１１１）へ移行する。
【００１３】
通常動作状態（Ｓ１１１）において、シャッターキー１１−２が押下された場合には、制御部１３は撮像部１２で撮像したデータを一時記憶部１０に保存し、その保存データを表示部１８へ表示する。また、表示すると同時に圧縮／伸張部１５にて圧縮処理を行い、圧縮後のデータを一時記憶１０に保存した後、記録媒体アクセス部１７を通して外部記録媒体１９へ記録する。
【００１４】
通常動作状態（Ｓ１１１）において、ＭＯＤＥキー１１−３とジョグボール１１−４により再生動作が選択された場合には、制御部１３は記録媒体アクセス部１７を通して外部記録媒体１９からデータを読み出して一時記憶部１０へ保存し、圧縮／伸張部１５にて伸張処理したあと再度一時記憶部１０に保存した後に表示部１８へ表示する。
【００１５】
通常動作状態（Ｓ１１１）の再生動作時において、ＭＯＤＥキー１１−３とジョグボール１１−４にてデジタルズーム動作や回転表示動作が行われた場合、制御部１３は一時記憶部１０に保存しているデータに対してズーム処理や回転処理を施し、加工後のデータを表示部１８へ表示することもできる。
【００１６】
一方で外部記録媒体１９の有無を確認したとき（Ｓ１０２）に、外部記録媒体１９が存在しない場合には、デモンストレーション移行可能状態（Ｓ１０３）となる。デモンストレーション移行可能状態とは、ＭＯＤＥキー１１−３を押下すればデモンストレーションに移行することができる状態のことで、このとき表示部１８には図５に示すようにＭＯＤＥキー１１−３を押下するとデモンストレーションが開始されることをＧＵＩ（Ｇｒａｐｈｉｃａｌ  Ｕｓｅ  Ｉｎｔｅｒｆａｃｅ）で示している。これは通常状態とデモンストレーション状態を意識的に区別することでユーザーの混乱を低減することを目的としている。
【００１７】
デモンストレーション移行可能状態（Ｓ１０３）において、ＭＥＮＥキー１１−３が押下されると（Ｓ１０４）デモンストレーション動作状態へ移行する（Ｓ１０５）。デモンストレーション動作中は、操作部１１の操作なしで自動的にＧＵＩＩを動作させ表示部１８に表示することで機能説明を行う。
【００１８】
図４は機能選択中における表示部１８の画面を示したものである。２０は機能Ａが選択されている画面、２１は機能Ｂが選択されている画面、２２は機能Ｃが選択されている画面を表している。通常状態においてユーザー操作にてジョグボール１１−４が動かされたとき、機能Ａ選択中（２０）から機能Ｂ選択中（２１）、機能Ｃ選択中（２２）と表示が切り替わり、ジョグボール１１−４を押下することで決定がなされると所望の機能を選択することになる。
【００１９】
一方でデモンストレーション動作状態のときは、図４の機能選択画面がユーザー操作なしで自動的に２０→２１→２２と移行を繰り返す。これにより画面が自動で動くことにより消費者の目にとまりやすくなる上に、表示画面をみただけで商品にどのような機能があるかを理解することができ、商品訴求となる。これが消費者への訴求動作となる。
【００２０】
デモンストレーション動作中（Ｓ１０５）は制御部１３が操作部１１にて操作がなされたかどうかを逐一チェックして（Ｓ１０６）、もしいずれかのキー操作が行われた場合には擬似記録動作状態（Ｓ１０７）へ移行する。
【００２１】
デモンストレーション動作中は、外部記録媒体１９の存在を常にチェックし（Ｓ１０９）、もし存在すれば通常状態へ移行する（Ｓ１１１）。
【００２２】
擬似記録動作状態（Ｓ１０７）において、シャッターキー１１―２が押下されると、制御部１３は撮像部１２で記録したデータを一時記憶部１０に保存し、その保存データを表示部１８へ表示する。また、表示すると同時に圧縮／伸張部１５にて圧縮処理を行い、圧縮後のデータを一時記憶部１０に保存する。通常状態とは異なり、擬似記録動作状態では外部記録媒体１９への書き込み動作は行わない。これによりユーザーは記録動作の振る舞いを擬似的に体験することが可能となる。
【００２３】
擬似記録動作状態（Ｓ１０７）において、ジョグボール１１−４にてデジタルズームや回転表示などの編集動作が行われた場合、一時記憶部１０に保存したデータに対してそれらの加工処理が行われ、加工されたデータを表示部１８へ表示することもできる。
【００２４】
擬似記録動作状態（Ｓ１０７）において、一定時間操作がないかどうかチェックし（Ｓ１０８）、操作部１１にて一定時間の操作が行われない場合、制御部１３はデモンストレーション動作状態へ再度移行させる（Ｓ１０５）。
【００２５】
擬似記録動作状態（Ｓ１０７）では、制御部１３は記録媒体検出部１６にて外部記録媒体１９の存在を常にチェックし（Ｓ１１０）、存在すればそれを検出して即座に擬似記録動作状態を終了し、通常動作状態へと移行する（Ｓ１１１）。
【００２６】
なお、デモンストレーションモード移行可能状態へは電源ＯＮ時にのみ移行可能であり、一度通常状態へ移行したあとは再度デモンストレーションモードへ移行することはない。これによりデモンストレーション移行条件を明確化させ、ユーザーの混乱を減少させることができる。
【００２７】
なお、装置の機能として３つ（Ａ，Ｂ，Ｃ）存在するようにしているがこれに限定されるものではない。
【００２８】
なお、この方法によれば、撮影を体験するモードに移るためには１キー操作のみで行えるため特別な操作を必要とせず、ユーザーが店頭でその操作を簡単に体験できるので実用的である。
【００２９】
なお、外部記録媒体がない状態でも撮影を可能にする方法として、内蔵フラッシュメモリを搭載する方法があるが、実装面積の問題やコストの問題がある。また、近年の高画質化に伴うデータ量増大により、小容量のフラッシュメモリでは少ない枚数しか蓄積できない。よって、小型軽量を目指す装置においては必要性の低いものであり記録媒体としては外部記録媒体のみを使用するケースが少なくないため、この方法は有効と言える。
【産業上の利用可能性】
【００３０】
本発明は、表示手段を有し、複数の機能を有する撮像装置であれば適用可能であり、例えば、デジタルビデオカメラやデジタルスチルカメラ、カメラ付き携帯電話端末に適用できる。
【図面の簡単な説明】
【００３１】
【図１】本発明の実施の形態におけるデジタルカメラシステムの構成を示すブロック図
【図２】本発明の実施の形態におけるデジタルカメラシステムの外観図
【図３】本発明の実施の形態におけるデモンストレーションモード処理フローを示すフローチャート
【図４】機能選択画面を示す図
【図５】デモンストレーション移行可能状態の表示画面を示す図
【符号の説明】
【００３２】
１０    一時記憶部
１１    操作部
１１−１    電源キー
１１−２    シャッターキー
１１−３    ＭＯＤＥキー
１１−４    ジョグボール
１２    撮像部
１３    制御部（制御手段、切替手段）
１４    編集／加工部
１５    圧縮／伸張部
１６    記録媒体検出部（記録媒体検出手段）
１７    記録媒体アクセス部
１８    表示部（表示手段）
１９    記録媒体
２０    機能Ａ選択画面
２１    機能Ｂ選択画面
２２    機能Ｃ選択画面
【図１】
2006173996.tif 000003
【図２】
2006173996.tif 000004
【図３】
2006173996.tif 000005
【図４】
2006173996.tif 000006
【図５】
2006173996.tif 000007